(57)【要約】【課題】化粧カバーの下端部の摩耗による劣化を防止することができ、かつ化粧カバーの引起装置への着脱作業を簡単に行うことができるコンバインの刈取部の技術を提供する。【解決手段】刈取部１００本体に支持され、上下方向に延設される引起ケース５０と、引起ケース５０に上下方向に回動可能に延設される無端状の引起チェーン７０と、引起ケース５０の前面側に着脱可能に取り付けられ、この引起ケース５０を被覆する化粧カバー６０とを有する引起装置４０を備えたコンバイン１の刈取部１００であって、引起ケース５０の下端部の前面側に、化粧カバー６０の下端部を嵌合可能な凹状の嵌合部５２を上向きに開口するように形成し、引起ケース５０の上部の前面側に被締結部５３を形成して、この被締結部５３に化粧カバー６０の上部を締結する締結部材７４を設けた。【選択図】図６
2010166832.tif 000002
【特許請求の範囲】
【請求項１】
刈取部本体に支持され、上下方向に延設される引起ケースと、
前記引起ケースに上下方向に回動可能に延設される無端状の引起チェーンと、
前記引起ケースの前面側に着脱可能に取り付けられ、この引起ケースを被覆する化粧カバーとを有する引起装置を備えるコンバインの刈取部であって、
前記引起ケースの下端部の前面側に、前記化粧カバーの下端部を嵌合可能な凹状の嵌合部を上向きに開口するように形成し、
前記引起ケースの上部の前面側に被締結部を形成して、この被締結部に前記化粧カバーの上部を締結する締結部材を設ける、コンバインの刈取部。
【請求項２】
前記引起ケースの嵌合部と、この嵌合部に嵌合される前記化粧カバーの下端部の外周形状を、下向きに凸状となる半円形状とする、請求項１に記載のコンバインの刈取部。
【請求項３】
前記化粧カバーの下端部に、前記引起ケースの嵌合部の上側縁部を前方から被覆する被覆部を形成する、請求項１または請求項２に記載のコンバインの刈取部。
【発明の詳細な説明】
【技術分野】
【０００１】
本発明は、引起装置を備えたコンバインの刈取部に関し、さらに詳しくは引起装置の引起ケースを被覆する化粧カバーの取付手段に関する。
【背景技術】
【０００２】
従来、複数の引起爪（引起タイン）を有する無端状の引起チェーンが上下方向に回動可能に張設された引起ケースの前面側に、化粧カバーを着脱可能に取り付ける引起装置を備えたコンバインの技術が知られている（例えば、特許文献１参照。）。
【０００３】
前記コンバインで穀稈の刈取作業を行う場合、分草された穀稈を前記引起装置へ導き、該引起装置の引起爪で穀稈を受け入れた状態で、前記引起爪を前記引起ケースに沿って上方へ移動させることにより、穀稈の穂先側を掬い上げて引き起こしている。このとき、化粧カバーの下端部は、泥などが付着している穀稈の株元と接触するため摩耗しやすく、摩耗により化粧カバーの機能が損なわれる場合があった。
【０００４】
そこで、特許文献１に開示される技術では、化粧カバーをメインカバーと補助カバーとで構成し、メインカバーの下部に、メインカバーおよび引起ケースの下端部を覆うように、補助カバーを着脱可能に取り付けている。このように構成することにより、刈取作業時には穀稈との接触により補助カバーが摩耗することとなり、摩耗した補助カバーのみを交換すればよくなる。つまり、メインカバーを交換する必要がなくなる。こうして、引起装置のメンテナンスを安価に行えるようにしている。
【先行技術文献】
【特許文献】
【０００５】
【特許文献１】特開２００８−２２０２２３号公報
【発明の概要】
【発明が解決しようとする課題】
【０００６】
特許文献１に開示される技術では、メインカバーと補助カバーのそれぞれをボルトおよびナットで引起ケースに取り付けている。そのため、引起装置のメンテナンスをする場合や、刈取作業中に引起装置内に稈屑などが詰まって引起装置の内部を点検・整備する必要が生じた場合に、メインカバーと補助カバーの双方を取り外す必要があり、作業効率が悪かった。
【０００７】
さらに、特許文献１に開示される技術ではメインカバーの交換頻度は少なくて済むものの、補助カバーは摩耗により劣化しやすくなって頻繁に交換する必要があり、依然としてメンテナンスにコストを要する要因となっていた。
【０００８】
本発明は叙上の事情に鑑みてなされたものであり、化粧カバーの下端部の摩耗による劣化を防止することができ、かつ化粧カバーの引起ケースへの着脱作業を簡単に行うことができる、コンバインの刈取部の技術を提供することを課題とする。
【課題を解決するための手段】
【０００９】
本発明の解決しようとする課題は以上の如くであり、次にこの課題を解決するための手段を説明する。
【００１０】
即ち、請求項１においては、刈取部本体に支持され、上下方向に延設される引起ケースと、前記引起ケースに上下方向に回動可能に延設される無端状の引起チェーンと、前記引起ケースの前面側に着脱可能に取り付けられ、この引起ケースを被覆する化粧カバーとを有する引起装置を備えるコンバインの刈取部であって、前記引起ケースの下端部の前面側に、前記化粧カバーの下端部を嵌合可能な凹状の嵌合部を上向きに開口するように形成し、前記引起ケースの上部の前面側に被締結部を形成して、この被締結部に前記化粧カバーの上部を締結する締結部材を設けるものである。
【００１１】
請求項２においては、前記引起ケースの嵌合部と、この嵌合部に嵌合される前記化粧カバーの下端部の外周形状を、下向きに凸状となる半円形状とするものである。
【００１２】
請求項３においては、前記化粧カバーの下端部に、前記引起ケースの嵌合部の上側縁部を前方から被覆する被覆部を形成するものである。
【発明の効果】
【００１３】
本発明の効果として、以下に示すような効果を奏する。
【００１４】
請求項１においては、化粧カバーの下端部を嵌合部に嵌合させるとともに、前記化粧カバーの上部を被締結部に締結部材を用いて締結することによって、化粧カバーを引起ケースに取り付けることが可能となる。したがって、化粧カバーの引起ケースへの着脱作業を簡単に行うことができる。また、化粧カバーの下端部の前面側が嵌合部に覆われるので、化粧カバーの下端部が穀稈の株元と接触し難くなり、摩耗による劣化を防止できる。
【００１５】
請求項２においては、嵌合部と化粧カバーの下端部の外周形状が下向きに凸状の半円形状となるので、化粧カバーの下端部を引起ケースの嵌合部に嵌合させやすくなる。したがって、化粧カバーの引起装置への着脱作業をより簡単に行うことができる。
【００１６】
請求項３においては、化粧カバーに被覆部を形成するので、引起ケースの嵌合部と、この嵌合部に嵌合された化粧カバーの下端部との隙間に穀稈の一部や塵埃などが入り難くなる。したがって、刈取作業時に前記隙間に穀稈が引っ掛かることや、これにより穀稈の引起・搬送姿勢が乱れることがなくなる。
【図面の簡単な説明】
【００１７】
【図１】本発明の第一実施形態に係る刈取部を備えたコンバインの構成を示す左側面図である。
【図２】本発明の第一実施形態に係る刈取部の構成を示す左側面図である。
【図３】本発明の第一実施形態に係る刈取部の駆動系統図である。
【図４】本発明の第一実施形態に係る刈取部の構成を示す正面図である。
【図５】本発明の第一実施形態に係る刈取部の上部の構成を示す正面図である。
【図６】本発明の第一実施形態に係る刈取部に備えられる引起装置の構成を示す正面図であり、（ａ）は駆動ケースの後側の板材およびこの板材に取り付けられた引起チェーンや駆動スプロケットや従動スプロケットなどを示す図、（ｂ）は駆動ケースの前側の板材およびこの板材に設けられた嵌合部および被締結部を示す図である。
【図７】化粧カバーを引起ケースに取り付けたときの状態を示す斜視図である。
【図８】化粧カバーの下端部および上部の引起ケースへの取付方法を示す説明図である。
【図９】本発明の第二実施形態に係る刈取部に備えられる化粧カバーの下端部の構成を示す図であり、（ａ）は化粧カバーの下端部に設けられた被覆部を示す斜視図、（ｂ）は化粧カバーの下端部を嵌合部に嵌合したときの状態を示す正面図、（ｃ）は同じく左側面断面図である。
【発明を実施するための形態】
【００１８】
次に、発明の実施の形態を添付図面に基づいて説明する。
以下では、本発明の第一実施形態に係る刈取部１００を具備するコンバイン１の全体的な構成について、図１を参照して説明する。
【００１９】
コンバイン１には、機体フレーム２に対して、走行部４と、刈取部１００と、脱穀部１１と、選別部５と、穀粒貯溜部６と、排藁処理部７と、エンジン部８と、ミンッション部（不図示）と、操縦部１０とが具備される。
コンバイン１は、これらの各部を機体フレーム２に適宜に設けて構成され、操縦部１０での操作具の操作に応じて、エンジン部８から得たエンジンの動力を、前記ミッション部を介して各部の装置に供給するなどして、走行部４にてコンバイン１の機体を走行させながら、刈取部１００で圃場の穀稈を刈り取り、脱穀部１１で刈取部１００から送られてきた穀稈を脱穀し、選別部５で脱穀部１１から送られてきた脱穀物を選別して、穀粒貯溜部６で選別部５から送られてきた穀粒を貯溜すると同時に、排藁処理部７で脱穀部１１から送られてきた排藁をコンバイン１の外部へ排出することができるように構成されている。
【００２０】
次に、本発明の第一実施形態に係る刈取部１００の全体的な構成について、図１を参照して説明する。
刈取部１００には、圃場の未刈取穀稈を分草する分草装置３０と、圃場の未刈取穀稈を引き起こす引起装置４０と、圃場の未刈取穀稈の株元を切断するバリカン式の切断装置８０と、前記引起装置４０から脱穀部１１の前端部に刈取穀稈を搬送する穀稈搬送装置９０とが備えられている。
分草装置３０によって分草された圃場の未刈取穀稈は、引起装置４０によって穂先側が引き起こされる。続いて、この引き起こされた未刈取穀稈の株元は切断装置８０によって切断される。続いて、この切断された刈取穀稈は穀稈搬送装置９０によって脱穀部１１の前端部に備えられたフィードチェーン１２に搬送される。
【００２１】
以下では、刈取部１００の詳細な構成について、図２を参照して説明する。
刈取部１００は、その主たる構造体として刈取フレーム２０を備えている。刈取フレーム２０は、本発明に係る刈取部本体の一実施形態である。刈取フレーム２０は、刈取入力フレーム２１と、縦伝動フレーム２２と、横伝動フレーム２３と、刈取上方フレーム２４とを有している。この刈取フレーム２０上の適宜の位置に、刈取部１００を成す各部材・装置が支持されている。
【００２２】
刈取入力フレーム２１は、刈取フレーム２０の後部を成す部材である。刈取入力フレーム２１は、左右方向を軸線方向とするパイプ状の部材である。
刈取入力フレーム２１は、機体フレーム２の前部に立設された刈取支持体３に回動可能に支持されている（図１参照）。こうして刈取入力フレーム２１は、刈取部１００の回動支点軸を構成している。
【００２３】
図２に示すように、縦伝動フレーム２２は、刈取フレーム２０の刈取入力フレーム２１と横伝動フレーム２３とを連結する部材である。縦伝動フレーム２２は、刈取入力フレーム２１から前方へ向けて延設されるパイプ状の部材である。縦伝動フレーム２２の後端部は、刈取入力フレーム２１の左右略中央部に固設されている。
【００２４】
横伝動フレーム２３は、刈取フレーム２０の前部を成す部材である。横伝動フレーム２３は、左右方向を軸線方向とするパイプ状の部材である。横伝動フレーム２３の左右略中央部は、縦伝動フレーム２２の前端部に連結されている。
【００２５】
刈取入力フレーム２１内には、エンジン部８に具備されるエンジンからの動力が伝達される刈取入力軸２１０が組み込まれている。刈取入力軸２１０の軸線は、刈取入力フレーム２１の軸線と一致している。
縦伝動フレーム２２の前後中途部と、機体フレーム２の前端部との間には、刈取昇降用油圧シリンダ２６が設けられる（図１参照）。刈取昇降用油圧シリンダ２６は、操縦部１０における昇降操作レバーの操作によって、回動支点軸回りに回動される。このように構成することにより、刈取部１００を適宜の上下位置に昇降させることが可能となっている。
【００２６】
図２に示すように、刈取上方フレーム２４は、刈取フレーム２０の上部を成す部材である。刈取上方フレーム２４は、前後方向に延設される丸パイプ上の部材であり、穀稈搬送装置９０の上方に配置される。
刈取上方フレーム２４の後端は、刈取入力フレーム２１に連結される。刈取上方フレーム２４の前端にはブラケット２５が固設され、このブラケット２５を介して刈取上方フレーム２４は引起装置４０（引起入力横ケース４３）に連結される。
【００２７】
以下では、分草装置３０の構成について図２を参照して説明する。分草装置３０は、刈取部１００の前部に配置される。分草装置３０は、分草フレーム３１や、分草体３２を有している。
【００２８】
分草フレーム３１は、横伝動フレーム２３から前方へ向けて延設される棒状の部材である。本実施形態においては、分草フレーム３１は４条分（刈取条数分）設けられる。それぞれの分草フレーム３１は、左右方向に所定間隔を空けて互いに平行となるように配置される。
【００２９】
分草体３２は分草装置３０の最前部を成す部材である。分草体３２は、圃場の未刈取穀稈を分草するものである。
本実施形態においては、分草体３２は４条分（刈取条数分）５つ設けられる（図４参照）。分草体３２は先細形状とされ、分草フレーム３１の前端部にボルトなどの締結部材３３によって固定されている（図２参照）。
【００３０】
以下では、切断装置８０の構成について図２および図３を参照して説明する。
図２に示すように、切断装置８０は、刈取部１００の下部に配置される。図３に示すように、切断装置８０は左右二組のバリカン式の刈刃８１Ｌ・８１Ｒを備える。
左右二組の刈刃８１Ｌ・８１Ｒは、横伝動フレーム２３に沿って横伝動フレーム２３の軸線方向に並設される。左右二組の刈刃８１Ｌ・８１Ｒは、スターホイル９１Ｌ・９１Ｒと掻込ベルト９２Ｌ・９２Ｒとによって掻き込まれた未刈取穀稈の株元を切断する。
左右二組の刈刃８１Ｌ・８１Ｒは、左右の刈刃駆動ユニット８２によってそれぞれ独立して駆動される。左右の刈刃駆動ユニット８２は、横伝動フレーム２３の左右の側端部にそれぞれ配置されている。
【００３１】
以下では、穀稈搬送装置９０の構成について図２および図３を参照して説明する。
図２に示すように、穀稈搬送装置９０は引起装置４０の後方に配置されている。
図３に示すように、穀稈搬送装置９０は、引起装置４０から送られてきた未刈取穀稈の株元側を掻き込むスターホイル９１Ｌ・９１Ｒおよび掻込ベルト９２Ｌ・９２Ｒと、右側二条分の刈取穀稈の株元側を後方に搬送する右株元搬送チェーン９３と、左側二条分の刈取穀稈の株元側を右株元搬送チェーン９３の搬送終端側に合流させる左株元搬送チェーン９４とを備えている。
さらに図２および図３に示すように、穀稈搬送装置９０は、右株元搬送チェーン９３から４条分の刈取穀稈の株元側を受け継ぐ縦搬送チェーン９５と縦搬送チェーン９５の搬送終端部からフィードチェーン１２（図１参照）の搬送始端部に４条分の刈取穀稈の株元側を搬送する補助搬送チェーン９６とを備えている。
【００３２】
さらに図３に示すように、穀稈搬送装置９０は、右株元搬送チェーン９３によって搬送される刈取穀稈の穂先側を搬送する右穂先搬送タイン９７と、左株元搬送チェーン９４によって搬送される刈取穀稈の穂先側を搬送する左穂先搬送タイン９８と、縦搬送チェーン９５によって搬送される４条分の刈取穀稈の穂先側を搬送する後穂先搬送タイン９９とを備えている。
こうして、切断装置８０で刈り取った４条分の刈取穀稈の穂先側が、後穂先搬送タイン９９の送り終端側から、脱穀部１１（図１参照）の扱室１３内に搬送されるように構成される。
【００３３】
以下では、引起装置４０の構成について、図２から図８までを参照して説明する。図２に示すように、引起装置４０は分草装置３０の後方に配置される。図２から図６までに示すように、引起装置４０は、引起入力縦ケース４１と、引起縦フレーム４２と、引起入力横ケース４３と、引起駆動ケース４４と、引起ケース５０と、化粧カバー６０と、引起チェーン７０と、駆動スプロケット７２と、従動スプロケット７３と、締結部材７４とを主として備える。
【００３４】
図２に示すように、引起入力縦ケース４１は横伝動フレーム２３の左端側に設けられる。引起入力縦ケース４１の下端部は横伝動フレーム２３の左端部に固定され、前方斜め上向きに延びるように立設されている。
【００３５】
図４に示すように、引起縦フレーム４２は引起装置４０の右部を成す部材であり、最右部の分草フレーム３１から上方に向けて立設される丸パイプ上の部材である。引起縦フレーム４２の上端部は、引起入力横ケース４３の右端部に連結される。
【００３６】
引起入力横ケース４３は、引起装置４０の上部を成す部材であり、左右方向を軸線方向とするパイプ状の部材である。
引起入力横ケース４３の左端部は、引起入力縦ケース４１の上端部に連結されている。引起入力横ケース４３は、引起入力縦ケース４１と引起縦フレーム４２とによって、後述の引起ケース５０の上端よりも上方側で、左右方向に略水平に横架されている。
【００３７】
引起駆動ケース４４は、引起入力横ケース４３の長手方向（軸線方向）に沿って適宜間隔置きに下向きに並設されている。引起駆動ケース４４は、刈取条数に合わせた数（本実施形態においては４条分４つ）設けられる。それぞれの引起駆動ケース４４は、互いに平行となるように配置されている。
【００３８】
引起入力縦ケース４１と、引起入力横ケース４３と、引起駆動ケース４４とは、引起ケース５０への駆動入力用の引起入力ケースとして働く。
【００３９】
図５に示すように、引起ケース５０は、引起入力縦ケース４１の前方に設けられる。引起ケース５０は、刈取条数に合わせた数（本実施形態においては４条文の四つ）設けられる。図５に示すように、引起ケース５０の上端部は、引起駆動ケース４４の下端部に連結されている。引起ケース５０の下端部は、分草フレーム３１に立設された引起支持フレーム４７に連結されている（図２参照）。
【００４０】
引起ケース５０は、上下方向を長手方向とする前後二枚の板材５１Ｆ・５１Ｂを平行に並設して形成される（図７および図８参照）。引起ケース５０の前記板材５１Ｆ・５１Ｂの間には、図６に示すように、後述の引起チェーン７０や、駆動スプロケット７２や、従動スプロケット７３が配設される。
【００４１】
図６に示すように、引起チェーン７０は、引起装置４０の内部、即ち前記板材５１Ｆ・５１Ｂの間に配設される部材である。引起チェーン７０は、所定の間隔置きに起伏自在に支持された複数の引起タイン７１を有する。引起タイン７１は、引起装置４０から搬送されてきた穀稈を穂先側から起立させる（引き起こす）役割を果たすものである。
【００４２】
駆動スプロケット７２は、引起ケース５０の上部でその板材５１Ｆ・５１Ｂの間に配置される回転体である。駆動スプロケット７２は、引起駆動ケース４４に内装される引起駆動軸４４０に接続されて、回転可能となっている。従動スプロケット７３は、引起ケース５０の下部でその板材５１Ｆ・５１Ｂの間に配置される回転体である。
【００４３】
そして、引起チェーン７０が駆動スプロケット７２と従動スプロケット７３とに巻き掛けられることによって張設される。引起チェーン７０は、駆動スプロケット７２が回転することによって、引起ケース５０の内部、即ち前記板材５１Ｆ・５１Ｂの間において上下方向に回動可能となっている。
【００４４】
隣り合う引起ケース５０と引起ケース５０との間には穀稈が通過する経路である移送経路が形成される。前記移送経路では、各引起ケース５０の引起チェーン７０がその回動時に移送路に向けて起立させた引起タイン７１を下方から上方に向けて移動させるようになっている。こうして、引起チェーン７０により移送経路を通過させながら、引き起こすことができるようになっている。
【００４５】
以下では、刈取部１００の駆動構造について図２から図４までを参照して説明する。
刈取入力フレーム２１には、刈取入力軸２１０が内挿される（図２および図３参照）。縦伝動フレーム２２には、縦伝動軸２２０が内挿される（図２および図３参照）。横伝動フレーム２３には、横伝動軸２３０が内挿される（図２および図３参照）。そして、刈取入力軸２１０は、縦伝動軸２２０の一端に連結される（図３参照）。縦伝動軸２２０の他端は、横伝動軸２３０に連結される（図３参照）。こうして、刈取入力軸２１０の回転駆動力が、縦伝動軸２２０を介して横伝動軸２３０に伝達されるように構成される（図３参照）。
【００４６】
図４に示すように、引起入力縦ケース４１には、引起入力縦軸４１０が内挿される。引起入力縦軸４１０の下端は、横伝動軸２３０に連結される。
また、引起入力横ケース４３には、引起入力横軸４３０が内挿される。引起入力縦軸４１０の上端は、引起入力横軸４３０に連結される。
４条分の引起駆動ケース４４には、引起駆動軸４４０がそれぞれ内挿される。引起駆動軸４４０は、引起入力横軸４３０に連結される。
【００４７】
したがって、横伝動軸２３０の回転力は、引起入力縦軸４１０と、引起入力横軸４３０と、引起駆動軸４４０とを介して、引起タイン７１が設けられた引起チェーン７０に伝達される。こうして、複数の引起タイン７１が駆動されることによって、圃場の未刈取穀稈を起立させることが可能となるように構成される。
【００４８】
以下では、引起ケース５０への化粧カバー６０の取付構造について図６から図８までを参照して説明する。図６に示すように、引起ケース５０の前側の板材５１Ｆは、化粧カバー６０の取付手段として被締結部５３と嵌合部５２とを有し、上部に被締結部５３を形成し、下端部に嵌合部５２を形成している。
【００４９】
図６から図８までに示すように、被締結部５３は引起ケース５０の上部に配置される部材である。本実施形態の被締結部５３は、ステー５４と、ナット５５とからなる。
ステー５４は、図１の状態において右側面視コ字型の形状を有する金属からなる部材である。ステー５４は、引起ケース５０の前面から前方に突出するように溶接などによって固設される。本実施形態においては、図６に示すように、ステー５４の左部のみが引起ケースに溶接されて、ステー５４が引起ケース５０の左右中央部に配置されるようにしている。ステー５４の前面側には、後述の締結部材７４を締結するための挿通孔５４ｈが形成される。
ナット５５は、ステー５４の後面側から挿通孔５４ｈの外径に沿うように固設される。ナット５５は、後述のボルト７５（締結部材７４）を締結するためのものであり、内周面にネジが形成される。
【００５０】
嵌合部５２は、引起ケース５０の下端部に配置されるものである。
本実施形態の嵌合部５２はステンレス鋼などの鋼材からなる。嵌合部５２は溶接により引起ケース５０の下端部に固設される。嵌合部５２の形状は、図４の状態において正面視Ｕ字型であり、引起ケース５０の板材５１Ｆの下端部周縁の形状に沿って前方斜め上向きに突出して設けられる。嵌合部５２は、上向きに開口されるように凹状に設けられる。
なお、本実施形態の嵌合部５２はステンレス鋼などの鋼材からなるものとしたが、本発明はこれに特に限るものではない。即ち、比較的耐耗性の高い材料からなるものであれば良く、例えば鉄鋼や合成樹脂からなるものとしても構わない。
また、本実施形態の嵌合部５２は溶接により引起ケース５０に固設されるものとしたが、本発明はこれに特に限らず、例えばボルト・ナットなどの締結手段により引起ケースに着脱可能に固定されるものとしても良い。この場合には、嵌合部が摩耗などによって劣化した際には、新しい嵌合部と交換することが可能となる。
【００５１】
図４および図７に示すように、化粧カバー６０は引起ケース５０の前面側に配置される部材であり、引起ケース５０を被覆するものである。本実施形態の化粧カバー６０は合成樹脂からなる。化粧カバー６０は、上下方向を長手方向とする略長方形の形状を有する。
化粧カバー６０の上部は、被締結部５３および締結部材７４によって引起ケース５０に固定される。化粧カバー６０の下端部は、嵌合部５２に嵌合される。化粧カバー６０を引起ケース５０に取り付けたとき、化粧カバー６０により引起ケース５０が正面視で完全に被覆される。
【００５２】
図７および図８示すように、化粧カバー６０の下端部は、嵌合部５２の形状に合わせて構成されており、嵌合部５２に嵌合可能となっている。換言すれば、化粧カバー６０の下端部は、嵌合部５２に係合可能な形状に構成される。化粧カバー６０の下端部を嵌合部５２に嵌合すると、化粧カバー６０の下端部外周面と嵌合部５２の内周面とが当接するようになっている。化粧カバー６０の下端部を嵌合部５２に嵌合することにより、化粧カバー６０の前後・左右位置を位置決めすることが可能となっている。
【００５３】
化粧カバー６０を引起ケース５０に取り付けたときにステー５４の挿通孔５４ｈと対応する位置には、挿通孔６０ｈが形成される。挿通孔６０ｈは、挿通孔５４ｈと一致させることが可能な大きさ・形状に形成される。
【００５４】
締結部材７４は引起装置４０の上部に取り付けられる部材である。
締結部材７４は、被締結部５３に化粧カバー６０の上部を締結するための部材である。本実施形態の締結部材７４は、ボルト７５と、取手７６とから構成される。
ボルト７５は、金属からなる部材である。ボルト７５は、前述の化粧カバー６０の挿通孔６０ｈと、ステー５４の挿通孔５４ｈとに挿通可能であり、かつ、ステー５４に固設されたナット５５に係合可能である。すなわち、ボルト７５を挿通孔６０ｈと挿通孔５４ｈとに順に挿通すると共に、ステー５４に固設されたナット５５に螺合することにより、化粧カバー６０の上部を引起装置４０に固定する（取り付ける）ことが可能である。
取手７６は、ボルト７５の前面側に固設される。本実施形態の取手７６は樹脂からなり、その軸心がボルト７５の軸心と一致するように設けられる。取手７６は、手動で回動しやすい大きさに設けられる。したがって、取手７６を掴んで回動させることにより、ボルト７５をナット５５に係合させることが可能である。
【００５５】
このように構成することにより、化粧カバー６０の下端部を嵌合部５２に嵌合させるとともに、前記化粧カバー６０の上部を被締結部５３に締結部材７４を用いて締結することによって、化粧カバー６０の上部および下部を引起ケース５０に取り付けることが可能である。したがって、従来のように化粧カバーの複数箇所をボルトおよびナットで引起ケースに取り付ける場合などと比べて、化粧カバーの引起装置への着脱作業が簡単に行える。
特に、本実施形態の刈取部１００においては、化粧カバー６０の下端部を嵌合部５２に嵌合させる際にも、また化粧カバー６０の上部を被締結部５３に締結部材７４を介して締結する際にも、刈取部１００の前方からの操作のみによって行うことが可能である。即ち、引起ケース５０の後側の板材５１Ｂの背部に手を差し入れてボルトおよびナットを取り付けたり、あるいは引起ケース５０を引起入力横軸４３０回りに上方に回動して背面を前側に向けて締結部材を取り付ける必要が無く、容易に化粧カバー６０の着脱作業を行うことができる。
【００５６】
また、嵌合部５２と化粧カバー６０の下端部の外周形状が共に下向きに凸状の半円形状となっているので、化粧カバー６０の下端部を引起ケース５０に嵌合させ易い。したがって、従来のように化粧カバーの周縁部と引起ケースの周縁部とを目視で重ね合わせた上でボルトおよびナットで締結する場合などと比べて、位置合わせの手間が省け、着脱作業がより簡単に行える。
【００５７】
さらに、本実施形態の刈取部１００においては、刈取作業時に泥などが付着している株元と接触する箇所であり、従来は摩耗により劣化しやすかった化粧カバー６０の下端部が、金属などからなる嵌合部５２によって覆われる。したがって、化粧カバー６０の下端部の摩耗による劣化を防止することができ、化粧カバー６０の交換頻度を少なくすることが可能となる。このことは、引起装置４０のメンテナンスに要する費用の節減に繋がる。
【００５８】
なお、本実施形態の刈取部１００においては、化粧カバー６０の上部を引起ケース５０に取り付ける手段として締結部材７４および被締結部５３を設けるものとしたが、本発明はこれに特に限るものではなく、他の取付手段を設ける構成としても構わない。したがって、例えば止め金具を締結部材として設け、この止め金具に係合する金具を被締結部に設ける構成としても構わない。
【００５９】
以上の如く、本実施形態に係る刈取部１００は、刈取部１００本体に支持され、上下方向に延設される引起ケース５０と、前記引起ケース５０に上下方向に回動可能に延設される無端状の引起チェーン７０と、前記引起ケース５０の前面側に着脱可能に取り付けられ、この引起ケース５０を被覆する化粧カバー６０とを有する引起装置４０を備えたコンバイン１の刈取部１００であって、前記引起ケース５０の下端部の前面側に、上向きに開口されて、前記化粧カバー６０の下端部を嵌合可能な凹状の嵌合部５２を形成し、前記引起ケース５０の上部の前面側に被締結部５３を形成するとともに、この被締結部５３に化粧カバー６０の上部を締結する締結部材７４を設けたものである。
このように構成することにより、化粧カバー６０の下端部を嵌合部５２に嵌合させるとともに、前記化粧カバー６０の上部を被締結部５３に締結部材７４を介して締結することによって、化粧カバー６０の上部および下部を引起ケース５０に取り付けることが可能である。したがって、化粧カバー６０の引起ケース５０への着脱作業が簡単に行える。また、化粧カバー６０の下端部の前面側が嵌合部５２に覆われるので、化粧カバー６０の下端部が穀稈の株元と接触し難くなり、摩耗による劣化を防止できる。
【００６０】
また、本実施形態に係る刈取部１００は、
前記引起ケース５０の嵌合部５２と、この嵌合部５２に嵌合される前記化粧カバー６０の下端部の外周形状を、下向きに凸状となる半円形状としたものである。
このように構成することにより、嵌合部５２と化粧カバー６０の下端部の外周形状が下向きに凸状の半円形状となるので、化粧カバー６０の下端部を引起ケース５０に嵌合させやすくなる。したがって、化粧カバー６０の引起装置４０への着脱作業をより簡単に行うことができる。
【００６１】
以下では、本発明の第二実施形態に係る刈取部１００の構成について、図９を参照して説明する。
本実施形態の刈取部１００は、化粧カバー６０の下端部に被覆部５７が形成されている点で第一実施形態に係る刈取部１００と異なる。
尚、以下の説明においては、第一実施形態に係る刈取部１００と略同一の構成の部材・装置については同一の符号を付し、その説明を省略するものとする。
【００６２】
図９（ａ）に示すように、本実施形態の化粧カバー６０の下端部前面側には、被覆部５７が形成される。被覆部５７は、化粧カバー６０の前面から前方に僅かに突出するように設けられ、下方に延設される。
被覆部５７は、化粧カバー６０の下端部を嵌合部５２に嵌合したときに、嵌合部５２の上側縁部を前方および上方から覆うように構成される（図９（ｂ）および図９（ｃ）参照）。すなわち、被覆部５７は嵌合部５２の上側縁部の形状に合わせて形成される。本実施形態の被覆部５７は、化粧カバー６０と一体的に構成される。
【００６３】
以上の如く、本実施形態に係る刈取部１００は、前記化粧カバー６０の下端部に、前記引起ケース５０の嵌合部５２の上側縁部を前方から被覆する被覆部５７を形成したものである。
このように構成することにより、化粧カバー６０を引起装置４０の嵌合部５２に取り付けたときに、嵌合部５２の上側縁部が被覆部５７に覆われる。よって、従来では引起ケース５０の嵌合部５２と、化粧カバー６０の下端部との間に生じていた隙間が、被覆部５７に覆われ、引起ケース５０の嵌合部５２と、この嵌合部５２に嵌合された化粧カバー６０の下端部との隙間に穀稈の一部や塵埃などが入り難くなる。したがって、刈取作業時に前記隙間に穀稈が引っ掛かることや、これにより穀稈の引起・搬送姿勢が乱れることがなくなる。
【００６４】
最後に、引起装置４０の上部の詳細な構成について、図５を参照して説明する。
引起入力横ケース４３は、左側と中央と右側とに三分割して構成される。
左側の引起入力横ケース４３の左端は、左側の引起駆動ケース４４を介して引起入力縦ケース４１の変速ケース（不図示）に連結される。左側の引起入力横ケース４３の右端は、中央左側の引起駆動ケース４４を介して中央の引起入力横ケース４３の左端に連結される。
中央の引起入力横ケース４３の右端には、中央右側の引起駆動ケース４４を介して右側の引起入力横ケース４３の左端と連結される。
右側の引起入力横ケース４３の右側には、右側の引起駆動ケース４４を介して引起縦フレーム４２に連結される。
即ち、三分割された引起入力横ケース４３を介して、４条分の引起駆動ケース４４を横並びに（左右方向に並設して）連結している。
【００６５】
三分割した引起入力横ケース４３と４条分の引起駆動ケース４４とに１本の引起入力横軸４３０が貫装される。引起入力横軸４３０は、ベアリング軸受け７７を介して引起入力横ケース４３に回転自在に軸支される。
引起入力横軸４３０の左端は、ベベルギア機構７８を介して引起入力縦軸４１０の上部に連結される。
引起入力横軸４３０の左右中途部には、四組のベベルギア機構７９を介して４条分の引起駆動軸４４０が連結される。即ち、４条分の引起タイン７１が引起入力横軸４３０を介してそれぞれ駆動されるように構成される。
三分割して構成された引起入力横ケース４３は、刈取上方フレーム２４に溶接されたブラケット２５に着脱可能に固定されている。
【００６６】
引起入力横ケース４３の端部には、軸受け円筒部（不図示）が一体的に形成され、これに引起駆動ケース４４の両端開口部が被嵌される。前記両端開口部には引起入力横軸４３０が貫装される。こうして、引起入力横ケース４３に前記軸受け円筒部を介して引起駆動ケース４４が、引起入力横軸４３０回りに回動可能に連結されている。
引起入力横軸４３０回りに引起駆動ケース４４を回動させることによって、引起駆動ケース４４に連結された引起ケース５０も、引起入力横軸４３０回りに回動するように構成されている。
【００６７】
このように構成することにより、引起装置４０の背部における穀稈搬送経路での穀稈の詰まりを除去する場合や、搬送手段の点検整備を行う場合には、引起ケース５０を引起入力横軸４３０回りに上方に回動して、刈取部１００の前方を解放することが可能である。このとき、化粧カバー６０は引起ケース５０と一体となって上方に回動されるので、メンテナンス時に化粧カバー６０を引起ケース５０から外す必要がなく、作業者の作業負担が軽減されている。
【符号の説明】
【００６８】
１        コンバイン
４０      引起装置
５０      引起ケース
５１Ｆ・５１Ｂ  板材
５２      嵌合部
５３      被締結部
５７      被覆部
６０      化粧カバー
７０      引起チェーン
７１      引起タイン
７４      締結部材
１００    刈取部
【図１】
2010166832.tif 000003
【図２】
2010166832.tif 000004
【図３】
2010166832.tif 000005
【図４】
2010166832.tif 000006
【図５】
2010166832.tif 000007
【図６】
2010166832.tif 000008
【図７】
2010166832.tif 000009
【図８】
2010166832.tif 000010
【図９】
2010166832.tif 000011